(57)【要約】【課題】浄化用水と空気とのコンタクトを十分に確保することが容易であり、これにより浄化度を向上させることができるとともに、好適には浄化用水が大きな粒で飛散するのを防止することができる空気浄化装置を提供する。【解決手段】本発明の空気浄化装置Ｕは、空気を浄化用水により浄化する浄化流路１０と、浄化流路１０に連続させて設けられている汽水分離流路２０と、浄化流路１０に空気Ａを送風する送風部３０と、浄化流路１０に浄化用水を散水する散水器４２を有する給水部４０とを箱体Ｈに備え、浄化流路１０および汽水分離流路２０に耐食性を有する金属素材からなるバルク１１，２１が充填されてなるものである。【選択図】図１
2007090149.tif 000002
【特許請求の範囲】
【請求項１】
空気を浄化用水により浄化する浄化流路と、該浄化流路に連続させて設けられている汽水分離流路と、前記浄化流路に空気を送風する送風部と、前記浄化流路に浄化用水を散水する散水器を有する給水部とを箱体に備え、
前記浄化流路および汽水分離流路に耐食性を有する金属素材からなるバルクが充填されてなることを特徴とする空気浄化装置。
【請求項２】
前記浄化流路および汽水分離流路が、上下に蛇行させて配設されてなることを特徴とする請求項１記載の空気浄化装置。
【請求項３】
送風部が空気導入路を有し、該空気導入路にフィルタが配設されてなることを特徴とする請求項１記載の空気浄化装置。
【請求項４】
給水部が浄化用水を循環させる循環ポンプと該循環ポンプの入口側に配設された濾過器とを含む循環系統を有してなることを特徴とする請求項１記載の空気浄化装置。
【発明の詳細な説明】
【技術分野】
【０００１】
本発明は、空気浄化装置に関する。さらに詳しくは、空気と水とのコンタクトを十分に確保して、所望の浄化効果を得ることができる空気浄化装置に関する。
【背景技術】
【０００２】
従来より、水を使用して空気を浄化する空気浄化装置が知られている（特許文献１、２、３参照）。これらの、空気浄化装置は、１）浄化用水をシャワーとして浄化対象の空気に降り注がせる、２）容器に貯めた水に空気を吹き付ける、３）立て置いた網に上方から水を注ぎ、その網の目に空気を通す、といった方法で、空気を浄化するものとされる。
【０００３】
しかしながら、これら従来の空気浄化装置においては、浄化用水と空気との接触が短時間に過ぎたり、浄化用水と空気との接触面積が小さすぎたりして、十分な浄化効果が得られていない場合も多い。
【０００４】
また、従来の空気浄化装置においては、浄化後に水と空気との分離が十分でない場合があり、ユーザーが予想するよりも大きな水の粒が室内等に飛散することがある、といった問題がある。
【特許文献１】特開２００３−１３５９２２号公報
【特許文献２】特開２００４−３７８３号公報
【特許文献３】特開２００５−１８０８７６号公報
【発明の開示】
【発明が解決しようとする課題】
【０００５】
本発明はかかる従来技術の課題に鑑みなされたものであって、浄化用水と空気とのコンタクトを十分に確保することが容易であり、これにより浄化度を向上させることができるとともに、好適には、浄化用水が大きな粒で飛散するのを防止することができる空気浄化装置を提供することを目的としている。
【課題を解決するための手段】
【０００６】
本発明の空気浄化装置は、空気を浄化用水により浄化する浄化流路と、該浄化流路に連続させて設けられている汽水分離流路と、前記浄化流路に空気を送風する送風部と、前記浄化流路に浄化用水を散水する散水器を有する給水部とを箱体に備え、前記浄化流路および汽水分離流路に耐食性を有する金属素材からなるバルクが充填されてなることを特徴とする。
【０００７】
本発明の空気浄化装置においては、前記浄化流路および汽水分離流路が、上下に蛇行させて配設されてなるのが好ましい。
【０００８】
また、本発明の空気浄化装置においては、送風部が空気導入路を有し、該空気導入路にフィルタが配設されてなるのが好ましい。
【０００９】
さらに、本発明の空気浄化装置においては、給水部が浄化用水を循環させる循環ポンプと該循環ポンプの入口側に配設された濾過器とを含む循環系統を有してなるのが好ましい。
【発明の効果】
【００１０】
本発明によれば、空気浄化に用いた浄化用水を空気中に飛散させることなく、空気の浄化がなし得るという優れた効果が得られる。
【発明を実施するための最良の形態】
【００１１】
以下、添付図面を参照しながら本発明を実施形態に基づいて説明するが、本発明はかかる実施形態のみに限定されるものではない。
【００１２】
図１および図２に、本発明の一実施形態に係る空気浄化装置の概略図を示す。この空気浄化装置Ｕは、浄化流路１０と、汽水分離流路２０と、浄化流路１０に浄化対象の空気Ａを送り込む送風部３０と、浄化流路１０に浄化用の水（以下、浄化用水という）Ｗを供給する給水部４０と、制御部５０とを、直方体状の箱体Ｈに備えてなるものとされる。
【００１３】
図１に示すように、浄化流路１０と汽水分離流路２０とは、箱体Ｈの上部に中間部から前面に向けてこの順で並列的に配置され、送風部３０の後述するファン３１は、箱体Ｈの上部の背面側に配設されて背面上部から取り入れた空気を前面から室内に送風するようにされ、給水部４０はその主要部が箱体Ｈの下部に配置されている。
【００１４】
浄化流路１０は、図１に示すように、上下方向に蛇行して空気Ａを流すように形成されており、これによって比較的小さな空間で長い浄化流路を確保することが可能となる。
【００１５】
浄化流路１０には、明瞭には図示はされていないが、浄化水保持材１１が充填されている。浄化水保持材１１は、浄化用水Ｗを水滴の状態で内部に所定時間保持することができるとともに、良好な通風性と、高度の耐久性および耐食性とを有するバルク状体、例えばステンレス束子（金属たわし）からなるものとされる。浄化水保持材１１として、高分子材料からなるバルク状体の利用も考えられるが、耐久性に劣るため、ステンレス束子等の金属繊維素材バルクを用いるのがよい。
【００１６】
汽水分離流路２０は、浄化後の空気Ａを上下方向に蛇行して流すように、浄化流路１０と連続して形成されており、これによって比較的小さな空間で長い汽水分離流路を確保することが可能となる。
【００１７】
汽水分離流路２０には、明瞭には図示はされていないが、汽水分離材２１が充填されている。汽水分離材２１は、良好な通風性と高度の耐久性および耐食性を有する繊維状素材からなるバルク、例えばステンレス束子からなるものとされる。汽水分離材２１の素材として高分子材料の利用が考えられるが、耐久性の点で劣るので、ステンレス束子等の金属繊維素材バルクを用いるのがよい。また、浄化水保持材１１と同一の素材を用いることによって、部品点数を削減し、コストを削減することも可能となる。
【００１８】
送風部３０は、ファン３１を有し、天井背面側に設けられた空気取入口３２から取り入れられ、箱体Ｈの背面側上部に形成された空気導入路３３に配設された空気フィルタ３３ａにより埃が除かれた空気Ａを浄化流路１０の入口部１０ａに送風するものとされる。送風部３０により浄化流路１０に送風された空気Ａは、汽水分離流路２０を通って箱体Ｈ前面上端部に形成された空気送風口３４から送風される。なお、図示例では、ファン３１は、空気導入路３３の浄化流路１０の入口部１０ａ近傍に前記入口部１０ａに送風するように配設されている。
【００１９】
なお、図示例では、空気フィルタ３３ａは、直方体状に形成された空気導入路３３を対角線上に配設されているが、空気フィルタ３３ａは空気導入路３３の入口部に配設されてもよい。
【００２０】
給水部４０は、箱体Ｈ下部の上側に配設された浄化用水Ｗを溜めるタンク４１と、浄化流路１０の浄化水保持材１１に上方から浄化用水Ｗを散水する浄化流路１０の上方に配設された散水器４２と、散水器４２から散水されて浄化水保持材１１を通って滴下する浄化用水Ｗをタンク４１に回収する水回収器４３と、タンク４１から散水器４２まで浄化用水Ｗを送るポンプ４４と、タンク４１底部からポンプ４４に送られて循環される浄化用水Ｗを濾過するフィルタ４５と、浄化用水Ｗを徐々に入れ替えるようにタンク４１から浄化用水Ｗをオーバーフロー方式にて排水するオーバーフローノズル４６と、タンク４１に外部から浄化用水を供給して、浄化用水Ｗの水量が一定となるように調節する水量調節部４７と、それらに付随するバルブＶを含む配管を有する。
【００２１】
水回収器４３は、浄化流路１０の下端および汽水分離流路２０の下端から滴下する浄化用水を受ける受け皿４３ａと、受け皿中央に下方に向けて突出形成されて浄化用水をタンク４１に落下させる排水ノズル４３ｂとを備えてなるものとされる。
【００２２】
制御部５０は、電源をオン・オフするメインスイッチ５１、ポンプ４４をオン・オフするスイッチ５２、ファン３１の送風量を強弱に切り替える風量切替スイッチ５３，５４とを備えてなるものとされる。
【００２３】
しかして、かかる構成とされた空気浄化装置Ｕにおいては、空気取入口３２から取り入れられ、空気フィルタ３３ａを通って埃が除かれた空気が、ファン３１により浄化流路１０に送られ、この浄化流路１０にて、散水器４２により上方から散水され例えばステンレス束子からなる浄化水保持材１１の内部を通される。これにより、浄化対象の空気Ａは、細い何条もの流れとなり、水滴状態の浄化用水Ｗと接触する。したがって、空気Ａは、浄化用水Ｗと比較的大きな接触面積で比較的長時間にわたって接触することになり、十分な浄化効果を得ることが可能となる。
【００２４】
また、浄化後の空気Ａは、浄化流路１０から汽水分離流路２０に送られ、この汽水分離流路２０において、例えばステンレス束子からなる汽水分離材２１の内部を通され、空気吹出口３４から室内等に放出される。これにより、浄化後の空気Ａに含まれる比較的大きな水滴は全て汽水分離材２１により取り除かれる。したがって、浄化用水Ｗが大きな水滴のまま室内等に放出されるのを防止することができる。
【００２５】
このように、実施形態の空気浄化装置Ｕによれば、水滴の状態で浄化用水を保持する例えばステンレス束子からなる浄化水保持材１１を利用し、この浄化水保持材１１が全長にわたって充填された浄化流路１０に浄化対象の空気Ａを通過させて、空気Ａを浄化するので、水と空気との間の十分なコンタクトを確保することが容易となり、十分な浄化効果を得ることができる。
【産業上の利用可能性】
【００２６】
本発明は、浄化用水を用いた空気浄化装置に適用できる。
【図面の簡単な説明】
【００２７】
【図１】本発明の一実施形態に係る空気浄化装置の概略図である。
【図２】図１と直行する方向から同装置を見たときの図１と同様の図である。
【符号の説明】
【００２８】
Ｕ    空気浄化装置
Ｈ    箱体
１０    浄化流路
１１    浄化水保持材
２０    汽水分離流路
２１    汽水分離材
３０    送風部
３１    ファン
４０    給水部
４１    タンク
４２    散水器
５０    制御部
【図１】
2007090149.tif 000003
【図２】
2007090149.tif 000004